(57)【要約】【課題】見栄えを損なうことなく、また、点検作業も容易にできるエレベータの出入口上板１０を得ることを目的とする。【解決手段】エレベータのかご１の出入口天井を構成する部分と、この出入口天井部分のかご内側の端縁から立ち上がって壁面を構成する部分とからなり、この壁面部分を表示部１１よりも上位の上位壁９と、表示部１１を含む下位壁８とに分割し、上位壁９をかご側部材に取り付けて固定し、下位壁８の上端をかご側部材に揺動自在に枢着して出入口天井部分を含めてかご内側へ揺動させることにより出入口天井部分を開閉し、かつ、塞がれた状態で下位壁８をかご側部材に係止するようにしたものである。【選択図】　　　　図７
2004010275.tif 000002
【特許請求の範囲】
【請求項１】
エレベータのかごの出入口天井を構成する部分と、この出入口天井部分の上記かご内側の端縁からＬ字状に屈曲されて立ち上がって上記かごの壁面を構成する部分とからなり、この壁面部分に利用客を案内する表示部が組み込まれたエレベータの出入口上板において、上記壁面部分を上記表示部よりも上位の上位壁と、この上位壁の下位で上記表示部を含む下位壁とに分割して上記上位壁を上記かご側部材に固着し、上記下位壁の上端を上記かご側部材に枢着手段を介して揺動自在に取り付けて上記出入口天井部分を含めて上記かご内側へ揺動させることにより上記出入口天井部分を開放し、上記かご内側へ揺動された上記下位壁を逆転させて上記上位壁の直下に垂下させることにより上記出入口天井部分を塞ぎ、上記出入口天井部分が塞がれた状態で上記下位壁を上記かご側部材に係止手段で係止したエレベータの出入口上板。
【請求項２】
枢着手段を、ピンを介して二片の取付板が揺動自在に連結された丁番とし、一方の上記取付板を下位壁に固着し、他方の上記取付板をかごの奥行方向へ進退自在にかご側部材に係止し、上記下位壁を上記丁番と共に上記かご内側へ進出させた後上記かご内側へ揺動させることにより上記出入口天井部分を開放し、上記かご内側へ揺動された上記下位壁を逆転させて垂下させた後上位壁の直下まで後退させることにより上記出入口天井部分を塞ぐようにした請求項１に記載のエレベータの出入口上板。
【請求項３】
係止手段を、下位壁をかご側部材に吸着固定する磁石とした請求項１に記載のエレベータの出入口上板。
【請求項４】
係止手段を、上位壁の直下に垂下した位置で下位壁を下支えして摩擦固定する支持部材とした請求項１に記載のエレベータの出入口上板。
【発明の詳細な説明】
【０００１】
【発明の属する技術分野】
この発明は、エレベータのかご出入口の上部に横設された出入口上枠に関するもので、特に、上記出入口上枠部分に組み込まれた表示装置の点検を容易に行い得るようにしたものに係る。
【０００２】
【従来の技術】
図８は従来のエレベータの出入口上板の縦断面図で、かご１は、かご床から立設されてかご室天井４に達する側壁３で周囲を囲まれており、出入口５は左右に出入口側板６が立設され、この出入口側板６間に上枠１３が横設されている。この上枠１３の背面、即ち、かご１の外側の面には上枠背板１３ｂが垂設され、更に上枠背板１３ｂの下端からかご１の内側へ向けて折り曲げられて上枠底板１３ｃが横設されている。
上枠底板１３ｃの下面には、かご１の出入口５の天井を構成する出入口天井板７が添着され、この出入口天井板７のかご内側の端縁からＬ字状に屈曲されて立ち上げられた出入口壁７ａが設けられている。出入口天井板７と出入口壁７ａは、出入口上板１０を構成する。
【０００３】
また、出入口５の上部には、かご枠体１２ｄに固定されたレール１２ｃが横設されている。このレール１２ｃ上を転動するローラ１２ｂにハンガプレート１２ａを介してかご戸１２が吊持されており、このかご戸１２によって出入口５が開閉されるようになっている。
更に、上記上枠１３と出入口上板１０で囲まれた部分には、インジケータや店内案内盤、液晶テレビ等の表示装置が組み込まれ、必要に応じて光源体６１が内蔵されている。このため、出入口上板１０は一部が切り欠かれ、この欠切部分にアクリル材等で構成された表示部１１が設けられている。
【０００４】
ところで、上記表示装置や光源体６１を点検したり清掃するには、表示部１１を取り外してかご内側から行うことも考えられる。また、特開２００１−２３５２号公報には、乗場前面に向けて開閉する扉を有する収納部を形成し、この収納部にエレベータの制御装置を収納するようにしたものが開示されている。このような収納部をかご１に設けて表示装置を納めることも考えられる。
しかし、表示部１１を取外しできるようにするには、取付ねじの頭部が露出することになる。表示部１１は人目に晒されるものであるから、取付ねじの頭部は見栄えを害する虞がある。特開２００１−２３５２号公報に開示された収納部と同様の収納部を設ける場合も同様のことが危惧される。
そこで、従来は、表示部１１を避けた位置、例えば、出入口天井板７及び上枠底板１３ｃを切り欠き、通常は底蓋７１を摘みねじ７１ａで固定して塞ぎ、点検時には上記底蓋７１を外して光源体６１等を点検していた。
また、上枠背板１３ｂを切り欠き、通常は背蓋７２を摘みねじ７２ａで固定して塞ぎ、点検時には上記背蓋７２を外して光源体６１等を点検していた。
【０００５】
【発明が解決しようとする課題】
上記のような従来のエレベータの出入口上板１０では、出入口天井板７部分を切り欠いた点検用の開口を底蓋７１で塞いでいたので、出入口天井板７部分の見栄えが悪い、という問題があった。
また、上枠背板１３ｂを切り欠いて出入口上板１０の背面から点検をする場合は、図８から明かなとおり、かご戸１２と干渉し、点検作業がし難い、という問題があった。
【０００６】
この発明は、上記問題点を解決するためになされたもので、見栄えを損なうことなく、また、点検作業も容易にできるエレベータの出入口上板を得ることを目的とする。
【０００７】
【課題を解決するための手段】
この発明に係る請求項１に記載のエレベータの出入口上板はエレベータのかごの出入口天井を構成する部分と、この出入口天井部分のかご内側の端縁から立ち上がって壁面を構成する部分とからなり、この壁面部分を表示部よりも上位の上位壁と、この上位壁の下位で表示部を含む下位壁とに分割し、上位壁をかご側部材に取り付けて固定し、下位壁の上端をかご側部材に揺動自在に枢着して出入口天井部分を含めてかご内側へ揺動させることにより出入口天井部分を開放し、下位壁を逆方向へ揺動させて上位壁の直下まで垂下させることにより開放された出入口天井部分を塞ぎ、かつ、下位壁をかご側部材に係止するようにしたものである。
【０００８】
この発明に係る請求項２に記載のエレベータの出入口上板は、請求項１に記載のエレベータの出入口上板において、ピンを介して二片の取付板が揺動自在に連結された丁番の一方の取付板を下位壁に固着し、他方の取付板を奥行方向へ進退自在に移動できるようにかご側部材に係止し、下位壁を丁番と共にかご内側へ進出させた後かご内側へ揺動させることにより出入口天井部分を開放し、下位壁を逆転させて垂下させた後上位壁の直下まで後退させることにより出入口天井部分を塞ぐようにしたものである。
【０００９】
この発明に係る請求項３に記載のエレベータの出入口上板は、請求項１に記載のエレベータの出入口上板において、磁石で吸着固定することにより下位壁をかご側部材に係止するようにしたものである。
【００１０】
この発明に係る請求項４に記載のエレベータの出入口上板は、請求項１に記載のエレベータの出入口上板において、上位壁の直下に垂下した位置で下位壁を下支えして摩擦により下位壁をかご側部材に係止するようにしたものである。
【００１１】
【発明の実施の形態】
実施の形態１．
図１から図７は、この発明の実施の形態１に係るエレベータの出入口上板を示す。
図１は、透視投影法によるエレベータのかご内の出入口方向の正面図である。図において、１はかご、２はかご床、３はかご床２から立設された側壁、４はかご室天井、５はかご１の出入口、６は出入口５の両側に立設された出入口側板、７はかご１の出入口天井板、８はこの出入口天井板７のかご内側の端縁からＬ字状に屈曲されて立ち上がって出入口５の上部の壁面を構成すると共に、案内表示のための開口が形成された下位壁、９は下位壁８の上位の壁面を構成する上位壁、１０は出入口天井板７、下位壁８及び上位壁９を主要構成部材とする出入口上板、１１は下位壁８の開口部に取り付けられて利用客を案内する表示部、１２は出入口５を開閉するかご戸である。
【００１２】
図２は図１のＩＩ−ＩＩ線断面を矢視した断面図で、図中、図１と同符号は同一部分を示す。１３は断面コ字状の上枠で、開口をかご内側へ向けて出入口５の上部の出入口側板６間に横設されている。１３ａは上枠上板、１３ｂは上枠背板、１３ｃは上枠底板、１４はかご外側へ屈曲された上位壁９の下端の延長部からなる取付腕、１５は上枠１３を取付腕１４に緊締する取付ボルトである。
２１は下位壁８の開口部に沿って方形に屈曲されて出入口天井板７の上面に固着された表示部固定枠である。２２はＬ字状に屈曲されて一面を表示部固定枠２１に当接させ、他面を緩衝材２３を介して表示部１１の背面に当接させて表示部１１を固定する押え板である。２４は表示部固定枠２１の内側に植設されて押え板２２を貫通するスタッド、２５はスタッド２４に螺合して押え板２２を表示部固定枠２１に固定するナットである。
【００１３】
３１はピン３１ａを介して二片の取付板３２及び３５が揺動自在に連結された丁番で、一方の取付板３２は皿ボルト３３とナット３４で表示部固定枠２１を介して下位壁８に固着され、他方の取付板３５は上枠上板１３ａの下面に沿ってかご１の外側へ向けて延設されている。３５ａは長手をかご１の奥行方向へ向けて取付板３５に明けられた長孔である。
４１は取付板３５の両側に上枠上板１３ａの下面に沿って並設された一対のスペーサ、４２は各スペーサ４１の下面に添着された押え板で、上枠上板１３ａの下面との間にスペーサ４１の厚さ相当の隙間を形成し、この隙間に取付板３５が遊挿されて奥行方向へ自在に進退できるように把持するものである。４３はナット４４の螺合によってスペーサ４１及び押え板４２を上枠上板１３ａに固定するスペーサ締結ボルトである。
【００１４】
４５は上枠上板１３ａに穿設された長孔に遊挿されてナット４６に螺合して押え板４２とを橋絡する調節ねじで、下位壁８が上位壁９と均一面となる位置で取付板３５の先端に当接して取付板３５のかご戸１２側への移動を規制するものである。４７は取付板３５の長孔３５ａに遊挿されてナット４８に螺合して上枠上板１３ａと押え板４２とを橋絡する離脱防止ボルトで、下位壁８をかご内側へ進出させたときに、取付板３５と押え板４２との係合が外れるのを防止して、下位壁８が上枠１３から離脱するのを阻止するものである。
【００１５】
５１は上枠底板１３ｃの下面に取り付けられた永久磁石、５２は出入口天井板７の上面に立設されて永久磁石５１に吸着される吸着板５３が取り付けられた取付板で、下位壁８が上位壁９と均一面となる位置で永久磁石５１に吸着されるように設置されている。５４は取付板５２の先端を上枠背板１３ｂ側へ屈曲させた支持金具で、下位壁８が上位壁９と均一面となる位置で上枠底板１３ｃに下支えされて摩擦により固定される。６１は表示部１１を照らす光源体である。
なお上記永久磁石５１と吸着板５３、及び上記支持金具５４と上枠底板１３ｃは、いずれも出入口天井部分が塞がれた状態で下位壁８をかご側部材に係止する係止手段として機能するものである。
【００１６】
図３は図１のＩＩＩ−ＩＩＩ線断面を矢視した断面図で、上枠１３の側面を示す。図中、図１及び図２と同符号は同一部分を示す。５５は上枠１３の両端に固着された一対の側部取付板で、取付ボルト５６及びナット５７によって出入口側板６に緊締されている。
【００１７】
図４は図３のＩＶ−ＩＶ線断面を矢視した断面図で、上枠１３の上面を示す。図中、図１から図３と同符号は同一部分を示し、いずれも既に述べたとおりである。更に詳述すると、上枠１３が取付ボルト１５によって取付腕１４に緊締された状態を示す。また、調節ねじ４５は長孔に遊挿されて所定位置に固定され、この調節ねじ４５に取付板３５の先端が当接して、下位壁８が上位壁９と均一面となった状態を示す。更に、離脱防止ボルト４７は取付板３５に穿設された長孔３５ａに遊挿されており、この長孔３５ａの範囲で丁番３１はかご内側へ進出移動できる状態を示す。
【００１８】
図５は図３のＶ−Ｖ線断面を矢視した断面図で、上枠１３の中間部を示す。図中、図１から図４と同符号は同一部分を示し、いずれも既に述べたとおりである。更に詳述すると、上枠１３は側部取付板５５を介して出入口側板６に固定された状態を示す。出入口天井板７は取付板５２に取り付けられた吸着板５３が永久磁石５１に吸着されることにより上枠底板１３ｃに固定された状態を示す。また、取付板５２の先端を屈曲させた支持金具５４が上枠底板１３ｃに下支えされることによって固定された状態を示す。
従って、出入口天井板７をかご内側へ引くことにより、吸着板５３を永久磁石５１から離すことができる。
【００１９】
次に、図６及び図７に従って出入口天井部分を開閉する方法を述べる。
１．出入口天井部分を開放する場合
通常は図１から図５に示したとおり、永久磁石５１は吸着板５３を吸着固定しており、また、支持金具５４は上枠底板１３ｃによって下支えされて摩擦固定されており、下位壁８は上位壁９と均一面となって出入口天井部分を塞いでいる。
塞がれた出入口天井部分を開放するには、先ず、出入口天井板７をかご内側へ進出させる。吸着板５３は永久磁石５１から離れ、また、支持金具５４は上板底板１３ｃから外れる。距離αだけ進出させると丁番３１が離脱防止ボルト４７によって制止されて下位壁８は停止する。このとき、出入口天井板７及び下位壁８は丁番３１のみによって支持されて揺動自在となる。
図７に示したとおり、ピン３１ａを軸として出入口天井板７及び下位壁８を時計方向へ揺動させることにより出入口天井部分は開放される。
出入口天井板７のかご戸１２側の端縁は、半径ｒの円弧に沿って開放し、途中で距離βだけ下降する。また、丁番３１が距離αだけかご内側へ進出したことにより、ピン３１ａの中心は上位壁９の表面から距離γだけ進出する。下位壁８はピン３１ａの中心から上方へ距離δだけ突出しているが、距離δ＜距離γの関係にあるので、下位壁８を時計方向へ９０度揺動させたとしても、下位壁８の上端縁が上位壁９の表面に突き当たることはない。この開放により、光源体６１の点検を行うことができる。
【００２０】
２．出入口天井部分を塞ぐ場合
開放された出入口天井部分を塞ぐには、図７において、出入口天井板７を反時計方向へ揺動させて符号７′で示した位置まで復帰させた後、下位壁８を後退させる。下位壁８を上位壁９の直下まで後退させると取付板３５の先端が調節ねじ４５に当接して停止する。このとき、下位壁８は上位壁９と均一面となって出入口天井部分を塞ぎ、永久磁石５１は吸着板５３を吸着固定すると共に、支持金具５４は上枠底板１３ｃに下支えされて摩擦固定される。
【００２１】
上記実施の形態１によれば、出入口天井板７及び下位壁８は、永久磁石５１によって吸着固定されると共に、支持金具５４が上枠底板１３ｃに下支えされて摩擦固定されるので、出入口天井板７及び下位壁８のいずれにもねじの頭部が現れることはなく、また、出入口天井板７部分に点検用の開口もないので、見栄えを損なうことがない。
また、出入口天井板７及び下位壁８をかご内側へ揺動させることにより出入口天井部分を開放して、かご内側から光源体６１等の点検を行うようにしたので、かご戸１２と干渉することはなく、点検作業が容易である。
【００２２】
更に、丁番３１をかご内側へ距離αだけ進出させたことによりピン３１ａの中心は上位壁９の表面から距離γだけ進出する。このため、下位壁８をピン３１ａの中心から上方へ距離δだけ突出させた状態で下位壁８を時計方向へ９０度揺動させても、距離δ＜距離γの関係にあるので、下位壁８の上端縁が上位壁９の表面に突き当たることはなく、上位壁９と下位壁８との隙間を狭小化させることができる。
なお、上記実施の形態１では、ピン３１ａの中心は上位壁９の表面から距離γだけかご内側へ進出させたが、距離αよりも短小であってもよい。ピン３１ａの移動距離に応じて上位壁９と下位壁８との隙間を狭小化させることができる。
更にまた、出入口天井板７も下位壁８と一体で揺動させるようにしたので、図７に示したとおり、出入口天井部分の開閉の途中で出入口天井板７が距離βだけ下降しても、他のかご側部材と干渉することはなく、広い開口を得ることができ、点検作業を容易に行うことができる。
【００２３】
【発明の効果】
この発明は上記のとおり構成されているので、以下の効果を奏する。
この発明に係る請求項１に記載のエレベータの出入口上板はエレベータのかごの出入口天井を構成する部分と、この出入口天井部分のかご内側の端縁から立ち上がって壁面を構成する部分とからなり、この壁面部分を表示部よりも上位の上位壁と、この上位壁の下位で表示部を含む下位壁とに分割し、上位壁をかご側部材に取り付けて固定し、下位壁の上端をかご側部材に揺動自在に枢着して出入口天井部分を含めてかご内側へ揺動させることにより出入口天井部分を開放し、下位壁を逆方向へ揺動させて上位壁の直下まで垂下させることにより開放された出入口天井部分を塞ぎ、かつ、下位壁をかご側部材に係止するようにしたものである。
このため、出入口天井部分を含めて下位壁をかご内側へ揺動させることにより開放するようにしたので、広い開口を得ることができる、という効果を奏する。また、かご戸との干渉も避けることができるので、表示部の点検作業が容易である、という効果も奏する。
【００２４】
この発明に係る請求項２に記載のエレベータの出入口上板は、請求項１に記載のエレベータの出入口上板において、ピンを介して二片の取付板が揺動自在に連結された丁番の一方の取付板を下位壁に固着し、他方の取付板を奥行方向へ進退自在に移動できるようにかご側部材に係止し、下位壁を丁番と共にかご内側へ進出させた後かご内側へ揺動させることにより出入口天井部分を開放し、下位壁を逆転させて垂下させた後上位壁の直下まで後退させることにより出入口天井部分を塞ぐようにしたものである。
このため、下位壁の上端と上位壁との隙間を狭小化させることができ、見栄えを損なうことがない、という効果を奏する。
【００２５】
この発明に係る請求項３に記載のエレベータの出入口上板は、請求項１に記載のエレベータの出入口上板において、磁石で吸着固定することにより下位壁をかご側部材に係止するようにしたものである。
このため、、出入口天井板及び下位壁のいずれにもねじの頭部が現れることはないので、見栄えを損なうことなく係止するができる、という効果を奏する。
【００２６】
この発明に係る請求項４に記載のエレベータの出入口上板は、請求項１に記載のエレベータの出入口上板において、上位壁の直下に垂下した位置で下位壁を下支えして摩擦により下位壁をかご側部材に係止するようにしたものである。
このものにあっても同様に見栄えを損なうことなく係止するができると共に、下位壁、出入口天井板及び表示部の荷重を枢着手段と支持部材とで分担させることができる、いう効果も奏する。
【図面の簡単な説明】
【図１】この発明の実施の形態１におけるエレベータの出入口上板を取り付けたエレベータのかご内の出入口方向の透視投影法による正面図。
【図２】図１のＩＩ−ＩＩ線断面を矢視した断面図。
【図３】図１のＩＩＩ−ＩＩＩ線断面を矢視した断面図。
【図４】図３のＩＶ−ＩＶ線断面を矢視した断面図。
【図５】図３のＶ−Ｖ線断面を矢視した断面図。
【図６】エレベータの出入口天井部分の開閉手順を示す縦断面図。
【図７】エレベータの出入口天井部分の開閉手順を示す縦断面図。
【図８】従来のエレベータの出入口上板の縦断面図。
【符号の説明】
１　かご、　２　かご床、　３　側壁、　４　かご室天井、　５　出入口、　６　出入口側板、　７　出入口天井板、　８　下位壁、　９　上位壁、　１０　出入口上板、　１１　表示部、　１２　かご戸、　１３　上枠、　１３ａ　上枠上板、　１３ｂ　上枠背板、　１３ｃ　上枠底板、　１４　支持腕、　１５　取付ボルト、　２１　表示部固定枠、　２２　押え板、　２３　緩衝材、　２４　スタッド、　２５　ナット、　３１　丁番、　３１ａ　ピン、　３２　取付板、３３　皿ボルト、　３４　ナット、　３５　取付板、　３５ａ　長孔、　４１スペーサ、　４２　押え板、　４３　スペーサ締結ボルト、　４４　ナット、４５　調節ねじ、　４６　ナット、　４７　離脱防止ボルト、　４８　ナット、　５１　永久磁石、　５２　取付板、　５３　吸着板、　５４　支持金具、　５５　側部取付板、　５６　取付ボルト、　５７　ナット、　６１　光源体。
【図１】
2004010275.tif 000003
【図２】
2004010275.tif 000004
【図３】
2004010275.tif 000005
【図４】
2004010275.tif 000006
【図５】
2004010275.tif 000007
【図６】
2004010275.tif 000008
【図７】
2004010275.tif 000009
【図８】
2004010275.tif 000010